(57)【特許請求の範囲】
【請求項１】
バッテリのＳＯＣ（Ｓｔａｔｅ Ｏｆ Ｃｈａｒｇｅ）レベルによって充電または放電される電気エネルギー量を示すドループカーブを用いて複数のバッテリを充電または放電する電力供給システムにおいて、
前記バッテリの充放電を制御するための第１システムドループカーブ（Ｄｒｏｏｐ  ｃｕｒｖｅ）を系統周波数に基づいて、前記複数のバッテリに設定するシステム制御部と、
前記設定された第１システムドループカーブに基づいて前記複数のバッテリの充放電を制御する充電制御部と、を含み、
前記充電制御部は、前記第１システムドループカーブによって充放電が行われる間に前記複数のバッテリからＳＯＣ（Ｓｔａｔｅ Ｏｆ Ｃｈａｒｇｅ）レベル情報を獲得し、
前記システム制御部は、前記複数のバッテリから獲得したＳＯＣレベル情報の平均値に基づいて新たな第２システムドループカーブを設定し、前記第１システムドループカーブを前記第２システムドループカーブに動的に変更して前記第２システムドループカーブによって前記複数のバッテリの充電または放電を制御する、バッテリエネルギー貯蔵システムを含む電力供給システム。
【請求項２】
前記充電制御部は、前記複数のバッテリから前記ＳＯＣレベルを獲得し、
前記システム制御部は、前記充電制御部から獲得したＳＯＣレベル情報に基づいて第２システムドループカーブを生成するための基準周波数を決定する、請求項１に記載のバッテリエネルギー貯蔵システムを含む電力供給システム。
【請求項３】
前記基準周波数は、前記複数のバッテリごとにそれぞれ決定される、請求項２に記載のバッテリエネルギー貯蔵システムを含む電力供給システム。
【請求項４】
前記システム制御部は、前記基準周波数に基づいて前記第２システムドループカーブを生成し、前記第２システムドループカーブに基づいてバッテリを制御する、請求項２に記載のバッテリエネルギー貯蔵システムを含む電力供給システム。
【発明の詳細な説明】
【技術分野】
【０００１】
本発明は電力系統での補助サービスを提供するものであって、特にバッテリの充放電を制御する充電制御部の動作方法に関するものである。
【背景技術】
【０００２】
電力供給システムとは、発電所で過剰生産された電力または不規則に生産される新再生エネルギーを貯蔵しておいてから一時的に電力が不足な際に送電する貯蔵装置をいう。
【０００３】
詳しくは、電力供給システムとは、エネルギーを必要な時及び場所に供給するために電気電力系統に電気を貯蔵しておくシステムをいう。言い換えると、従来の二次電池のように一つの製品にシステムが統合されたストレージで構成される一つの集合体である。
【０００４】
最近急速に成長している新再生エネルギーである風力発電の際に、不安定な発電エネルギーを貯蔵してから必要な時点で安定的に電力系統に更に供給する必須装置として、電力供給システムの重要性が頭を擡げている。もし、電力供給システムがなければ、風や太陽光に依存する不安定な電力供給のため、電力系統に急に電気が切れるなど深刻な問題が発生する恐れがある。よって、このような環境でストレージが非常に重要な分野に頭を擡げており、家庭用電力貯蔵システムにまで拡張されている。
【０００５】
このような電力供給システムは、電力系統で発電、送配電、需要家に設置されて利用されており、周波数調整（Ｆｒｅｑｕｅｎｃｙ  Ｒｅｇｕｌａｔｉｏｎ）、新再生エネルギーを利用した発電機出力の安定化、ピーク負荷の低減（Ｐｅａｋ  Ｓｈａｖｉｎｇ）、負荷の標準化（Ｌｏａｄ  Ｌｅｖｅｌｉｎｇ）、非常電源などの機能として使用されている。
【０００６】
電力供給システムは貯蔵方式によって大きく物理的エネルギー貯蔵と化学的エネルギー貯蔵とに区分される。物理的エネルギー貯蔵としては揚水発電、圧縮空気貯蔵、フライホイールなどを利用した方法があり、化学的エネルギー貯蔵としてはリチウムイオンバッテリ、鉛蓄電池、Ｎａｓ電池などを利用した方法がある。
【発明の概要】
【発明が解決しようとする課題】
【０００７】
本発明の一実施例は、複数個のバッテリに一つのシステムドループカーブ（Ｄｒｏｏｐ  ｃｕｒｖｅ）を設定して、バッテリの充放電効率を向上させた電力供給システムを提供することを目的とする。
【０００８】
また、本発明の一実施例はバッテリのＳＯＣ（Ｓｔａｔｅ  Ｏｆ  Ｃｈａｒｇｅ）レベルに基づいて各バッテリ別にドループカーブを設定し、バッテリの充放電効率を向上させた電力供給システムを提供することを目的とする。
【課題を解決するための手段】
【０００９】
本発明の一実施例による電力供給システムは、最初の第１システムドループカーブを複数のバッテリに設定するシステム制御部及び前記設定された第１システムドループカーブに基づいて前記複数のバッテリの充放電を制御する充電制御部を含む。
【００１０】
この際、前記充電制御部は、複数のバッテリからＳＯＣレベル情報を獲得し、前記システム制御部は、前記充電制御部から獲得したＳＯＣレベル情報に基づいて第２システムドループカーブを生成し、前記生成された第２システムドループカーブを前記複数のバッテリに同じく設定する。
【００１１】
この際、前記システム制御部は、前記第１システムドループカーブを予め設定されたデータ及び系統周波数のうち少なくとも一つに基づいて設定する。
【００１２】
この際、前記システム制御部は、前記第２システムドループカーブを前記複数のバッテリから獲得したＳＯＣレベル情報の平均値に基づいて設定する。
【００１３】
この際、前記システム制御部は、前記第２システムドループカーブを前記複数のバッテリから獲得したＳＯＣレベル情報のうち基準値との差が最も大きいＳＯＣレベル情報に基づいて設定し、前記基準値はシステムの最初の設計の際に設定された系統周波数に基づいた値のうち少なくとも一つである。
【００１４】
この際、前記充電制御部は、前記複数のバッテリからＳＯＣレベルを獲得し、前記システム制御部は、前記充電制御部から獲得したＳＯＣレベル情報に基づいて第２システムドループカーブを生成するための基準周波数を決定する。
【００１５】
この際、前記基準周波数は、前記複数のバッテリごとにそれぞれ決定される。
【００１６】
この際、前記システム制御部は、決定された基準周波数を前記充電制御部に伝送し、前記充電制御部は、受信した基準周波数に基づいて第２システムドループカーブを生成し、前記第２システムドループカーブに基づいてバッテリを制御する。
【発明の効果】
【００１７】
本発明の一実施例によって、電力供給システムは複数個のバッテリに一つのシステムドループカーブを設定してバッテリの充放電効率を向上することができる。
【００１８】
また、本発明の一実施例によって、電力供給システムはバッテリのＳＯＣレベルに基づいて各バッテリ別にドループカーブを設定してバッテリの充放電効率を向上することができる。
【図面の簡単な説明】
【００１９】
【図１】電力供給システムの全体的な構成を示すブロック図である。
【図２】本発明の一実施例による電力供給システムのブロック図である。
【図３】本発明の一実施例による小容量電力供給システムのブロック図である。
【図４】本発明の一実施例による電力市場の構造を示す概念図である。
【図５】本発明の一実施例による複数のバッテリ充放電を制御するためのドループカーブを示す図である。
【図６】本発明の一実施例によるバッテリ充放電制御方法を示すフローチャートである。
【図７】本発明の他の実施例によるバッテリ充放電制御方法を示すフローチャートである。
【発明を実施するための形態】
【００２０】
以下、本発明に関する実施例について図面を参照してより詳細に説明する。以下の説明で使用される構成要素に関する接尾辞である「モジュール」及び「部」は明細書作成の容易さのみを考慮して付与されるか混用されるものであって、それ自体で互いに区別される意味または役割を有するものではない。
【００２１】
本発明の利点及びその特徴、そしてそれらを達成する方法は、添付した図面と共に詳細に後述されている実施例を参照すると明確になるはずである。しかし、本発明は以下で開示される実施例に限らず互いに異なる多様な形態に具現されてもよいが、本実施例は本発明の開示が完全になるようにし、本発明の属する技術分野における通常の知識を有する者に発明の範囲を完全に知らせるために提供されるものであって、本発明は請求項の範囲によって定義されるのみである。明細書全体にわたって、同じ参照符号は同じ構成要素を指す。
【００２２】
本発明の実施例を説明するに当たって、関連する公知機能又は構成に対する具体的な説明が本発明の要旨を不明確にする恐れがあると判断される場合、その詳細な説明を省略する。そして、後述する用語は本発明の実施例における機能を考慮して定義された用語であって、これはユーザ、運用者の意図又は慣例などによって異なり得る。よって、その定義は本明細書全般にわたる内容に基づいて下されるべきである。
【００２３】
添付した図面の各ブロックとフローチャートの各ステップの組み合わせは、コンピュータプログラムインストラクションによって行われてもよい。これらのコンピュータプログラムインストラクションは、汎用コンピュータ、特殊用コンピュータ又はその他のプログラム可能なデータプロセッシングデバイスのプロセッサに搭載可能であるため、コンピュータ又はその他のプログラム可能なデータプロセッシングデバイスのプロセッサを介して行われるそのインストラクションが、図面の各ブロック又はフローチャートの各ステップで説明された機能を行う手段を生成するようになる。これらのコンピュータプログラムインストラクションは、特定方式に機能を具現するためにコンピュータ又はその他のプログラム可能なデータプロセッシング装備の指向するコンピュータで利用可能な又はコンピュータで判読可能なメモリに記憶されることもできるため、そのコンピュータで利用可能な又はコンピュータで判読可能なメモリに記憶されたインストラクションは図面の各ブロック又はフローチャートの各ステップで説明された機能を行うインストラクション手段を内包する製品を生産することもできる。コンピュータプログラムインストラクションは、コンピュータ又はその他のプログラム可能なデータプロセッシングデバイス上に搭載することもできるため、コンピュータ又はその他のプログラム可能なデータプロセッシングデバイス上で一連の動作ステップが行われてコンピュータで実行されるプロセスを生成して、コンピュータ又はその他のプログラム可能なデータプロセッシングデバイスを行うインストラクションは、図面の各ブロック又はフローチャートの各ステップで説明された機能を行うためのステップを提供することもできる。
【００２４】
また、各ブロック又は各ステップは、特定の論理的機能を実行するための一つ以上の実行可能なインストラクションを含むモジュール、セグメント又はコードの一部を示す。また、いくつかの代替実施例では、ブロック又はステップで言及した機能が順番を逸脱して発生することもできることに注目すべきである。例えば、連続して図示されている２つのブロック又はステップは、実際は実質的に同時に行われてもよく、或いはそのブロック又はステップが時々当たる機能に応じて逆順に行われてもよい。
【００２５】
図１は、電力供給システムの全体的な構成を示すブロック図である。図１に示したように、電力供給システム１は、パワープラント２、工場３、家庭４及び他のパワープラントまたは消費者５と一緒に一つのプラットフォームを構成する。
【００２６】
本発明の一実施例によると、パワープラント２で生産されたエネルギーは、電力供給システム１に貯蔵される。また、電力供給システム１が貯蔵したエネルギーは、更に工場３や家庭４に伝送され、他のパワープラントまたは消費者に販売されることもある。
【００２７】
詳しくは、パワープラント２で生産された電気エネルギーは、環境や時間によってその変動の幅が大きい。例えば、太陽光発電の場合、気象状況または日出時間によって生産量が異なり得る。このように変動の幅が大きい場合、生産された電気エネルギーを工場３または家庭４で安定的に使用することが難しい。よって、パワープラントで生産された電気エネルギーを電力供給システムに一旦貯蔵し、貯蔵した電気エネルギーを安定的に出力して工場３または家庭４で利用する。また、使用してから残った電気エネルギーを他の消費者５に販売することもできる。また、電力供給システム１に貯蔵された電気エネルギー以上を工場３または家庭４で消費する場合、他のパワープラント５から電気エネルギーを購入することもできる。
【００２８】
図２は、本発明の一実施例による電力供給システムのブロック図である。
【００２９】
本発明の一実施例による電力供給システム１００は、発電装置１０１、直流／交流コンバータ１０３、交流フィルタ１０５、交流／交流コンバータ１０７、系統１０９、充電制御部１１１、バッテリエネルギー貯蔵システム１１３、システム制御部１１５、負荷１１７及び直流／直流コンバータ１２１を含む。
【００３０】
発電装置１０１は電気エネルギーを生産する。発電装置が太陽光発電装置であれば、発電装置１０１は太陽電池アレイである。太陽電池アレイは複数の太陽電池モジュールを結合したものである。太陽電池モジュールは複数の太陽電池セルを直列または並列に連結し、太陽エネルギーを電気エネルギーに変換して所定の電圧と電流を発生する装置である。よって、太陽電池アレイは太陽エネルギーを吸収して電気エネルギーに変換する。また、発電システムが風力発電システムであれば、発電装置１０１は風力エネルギーを電気エネルギーに変換するファンである。但し、上述したように電力供給システム１００は発電装置１０１なしにバッテリエネルギー貯蔵システム１１３のみを介して電力を供給することができる。この場合、電力供給システム１００は発電装置１０１を含まなくてもよい。
【００３１】
直流／交流コンバータ１０３は、直流電力を交流電力にコンバーティングする。発電装置１０１が供給した直流電力またはバッテリエネルギー貯蔵システム１１３が放電した直流電力を、充電制御部１１１を介して供給されて交流電力にコンバーティングする。
【００３２】
交流フィルタ１０５は、交流電力にコンバーティングされた電力のノイズをフィルタリングする。具体的な実施例においては、交流フィルタ１０５は省略されてもよい。
【００３３】
交流／交流コンバータ１０７は、交流電力を系統１０９または負荷１１７に供給するようにノイズがフィルタリングされた交流電力の電圧の大きさをコンバーティングして、電力を系統１０９または独立した負荷に供給する。具体的な実施例においては、交流／交流コンバータ１０７は省略されてもよい。
【００３４】
系統１０９とは、多くの発電所、変電所、送配電線及び負荷が一体になって電力の発生及び利用が行われるシステムである。
【００３５】
負荷１１７は発電システムから電気エネルギーを供給されて電力を消耗する。
【００３６】
バッテリエネルギー貯蔵システム１１３は、発電装置１０１から電気エネルギーを供給されて充電し、系統１０９または負荷１１７の電力需給状況に応じて充電された電気エネルギーを放電する。詳しくは、系統１０９または負荷１１７が軽負荷であれば、バッテリエネルギー貯蔵システム１１３は、発電装置１０１から遊休電力を供給されて充電する。系統１０９または負荷１１７が過負荷であれば、バッテリエネルギー貯蔵システム１１３は充電された電力を放電して、系統１０９または負荷１１７に電力を供給する。系統１０９または負荷１１７の電力需給状況は時間帯別に大きな差を有する。よって、電力供給システム１００が、発電装置１０１が供給する電力を系統１０９または負荷１１７の電力需給状況を考慮せずに一律的に供給することは、非効率である。よって、発電システム１００は、バッテリエネルギー貯蔵システム１１３を使用して系統１０９または負荷１１７の電力需給状況に応じて電力供給量を調節する。それによって、発電供給システム１００は系統１０９または負荷１１７に効率的に電力を供給することができる。
【００３７】
直流／直流コンバータ１２１は、バッテリエネルギー貯蔵システム１１３が供給するか供給される直流電力の大きさをコンバーティングする。具体的な実施例においては、直流／直流コンバータ１２１は省略されてもよい。
【００３８】
システム制御部１１５は、直流／交流コンバータ１０３及び交流／交流コンバータ１０７の動作を制御する。また、システム制御部１１５は、バッテリエネルギー貯蔵システム１１３の充電と放電を制御する充電制御部１１１を含む。充電制御部１１１はバッテリエネルギー貯蔵システム１１３の充電及び放電を制御する。系統１０９または負荷１１７が過負荷であれば、充電制御部１１１は、バッテリエネルギー貯蔵システム１１３から電力を供給されて、系統１０９または負荷１１７に電力を伝達する。系統１０９または負荷１１７が軽負荷であれば、充電制御部１１１は、外部の電力供給源または発電装置１０１から電力を供給されて、バッテリエネルギー貯蔵システム１１３に伝達する。
【００３９】
図３は、本発明の一実施例による小容量電力供給システムのブロック図である。
【００４０】
本発明の一実施例による小容量電力供給システム２００は、発電装置１０１、直流／交流コンバータ１０３、交流フィルタ１０５、交流／交流コンバータ１０７、系統１０９、充電制御部１１１、バッテリエネルギー貯蔵システム１１３、システム制御部１１５、第１直流／直流コンバータ１１９、負荷１１７及び 第２直流／直流コンバータ１２１を含む。
【００４１】
図２の本発明の一実施例と全て同じであるが、第1直流／直流コンバータ１１９を更に含む。第１直流／直流コンバータ１１９は、発電装置１０１が発電する直流電力の電圧をコンバーティングする。小容量電力供給システム２００は、発電装置１０１が生産する電力の電圧が小さい。よって、発電装置１０１が供給する電力を直流／交流コンバータに入力するためには昇圧する必要がある。第１直流／直流コンバータ１１９は、発電装置１０１が生産する電力の電圧を直流／交流コンバータ１０３に入力可能な電圧の大きさにコンバーティングする。
【００４２】
図４は、本発明の一実施例による電力市場の構造を示す概念図である。
【００４３】
図４を参照すると、電力市場の構造は発電子会社、独立発電事業者、ＰＰＡ事業者、区域電気事業者、韓国電力取引所、韓国電力公社、消費者、大規模の消費者及び特定区域消費者を含む。上述した国内発電会社は２０１４年現在、韓国電力公社から分離された６社の発電子会社と２８８社の独立発電事業者がある。
【００４４】
発電子会社、独立発電事業者、ＰＰＡ事業者及び区域電気事業者は発電会社を意味し、それぞれが所有する発電機器から発電可能な電力量による供給可能容量を韓国電力取引所に入札し、入札による収益を獲得する。
【００４５】
発電子会社及び独立発電事業者それぞれは、所有する発電機別の供給可能発電量を毎日韓国電力取引所に入札し、韓国電力取引所は電力市場に対する運営を担当する。
【００４６】
韓国電力公社は、電力市場で決定された価格で電力を購入し、購入した電力を消費者に供給する。それによって、韓国電力公社は送電、配電及び販売を担当する。
【００４７】
ＰＰＡ事業者は、電力需給契約（ＰＰＡ：Ｐｏｗｅｒ  Ｐｕｒｃｈａｓｅ  Ａｇｒｅｅｍｅｎｔ）事業者を意味し、ＰＰＡ事業者は上述した電力市場に電力可能容量を入札する。そして、ＰＰＡ事業者は、電力取引代金は電力事情で決定される金額ではなく、韓国電力公社との需給契約による価格を適用するように精算する。そして、それによる精算規則が電力市場精算規則情報に含まれる。
【００４８】
区域電気事業者は、一定規模の発電設備を介して電力を生産し、許可された特定区域内で生産された電力を直接販売する事業者である。また、区域電気事業者は、不足する電力を韓国電力公社や電力市場から直接購入するか、余剰電力を韓国電力公社や電力市場に販売する。
【００４９】
一方、契約電力が３万ｋＷ以上の大容量顧客は、韓国電力公社を介さずに、電力市場から必要な電力を直接購入することができる。
【００５０】
一つの電力供給システム１００は、バッテリエネルギー貯蔵システム１１３を含む。そして、エネルギー貯蔵システム１１３は、複数のバッテリ（図示せず）及び各バッテリを制御する充電制御部１１１を含む。そして、電力供給システム１００に含まれた複数のバッテリごとにＳＯＣレベルが異なり得る。言い換えると、複数のバッテリ別に現在残っている電気エネルギーの量が異なり得る。
【００５１】
しかし、電力供給システム１００は安定的な電気エネルギーを供給するためのシステムであって、前記のように複数のバッテリ別にＳＯＣレベルが異なる場合には、安定的な電気エネルギーの供給が難しい。詳しくは、複数のバッテリから均等に電気エネルギーが出力されなければ、全体の電力供給システム１００から出力される電気エネルギーは一定に維持されない。また、複数のバッテリに均等に電気エネルギーを充電しなければ、後の再放電の際に均等な電気エネルギーの出力を誘導することができない。もし電気エネルギーがバッテリに均等に充放電されない場合、特定バッテリに過負荷が発生して、全体の電力供給システムの寿命を短縮する恐れがある。
【００５２】
よって、互いに異なる複数のバッテリの充放電を効率的に運営するためには、一定の基準が必要であるが、それを、図５を参照して以下に説明する。
【００５３】
図５は、本発明の一実施例による複数のバッテリの充放電を制御するためのドループカーブを示す図である。
【００５４】
図５に示したように、本発明の一実施例によると、バッテリの充放電を制御するための基準点として６０Ｈｚが設定される。よって、複数のバッテリは、システムの安定性のために周波数を６０Ｈｚに維持する必要がある。
【００５５】
具体的な実施例においては、充電制御部１１１はバッテリの周波数が基準周波数である６０Ｈｚ以下に落ちるとバッテリを充電する。また、充電制御部１１１はバッテリの周波数が基準周波数である６０Ｈｚ以上になるとバッテリを放電する。
【００５６】
この際、充電制御部１１１の制御によって充放電される量はドループカーブによって決定される。よって、ドループカーブによってバッテリが基準周波数を回復するために必要とする充電量または放電量が異なり得る。また、ドループカーブはバッテリの周波数値またはＳＯＣレベルに応じて異なり得る。
【００５７】
一実施例において、バッテリ別のドループカーブは充電制御部１１１によって設定される。他の実施例において、バッテリ別のドループカーブは充電制御部１１１を制御するシステム制御部によって設定される。以下、各実施例をフローチャートを参照して詳細に説明する。
【００５８】
図６は、本発明の一実施例によるバッテリの充放電制御方法を示すフローチャートである。
【００５９】
図６の実施例は、システム制御部１１５が複数のバッテリに一つのドループカーブを設定してバッテリの充放電を制御する方法である。
【００６０】
システム制御部１１５が一つの電力供給システム１００に含まれた複数のバッテリを一つのシステムドループカーブとして設定する（Ｓ１０１）。詳しくは、複数個のバッテリに汎用的に適用される一つのドループカーブを設定する。バッテリに対するドループカーブの設定はシステム制御部１１５が各バッテリを制御する充電制御部１１１を制御して行われる。よって、各充電制御部１１１が設定されたドループカーブによってバッテリの充放電を制御する。一つのシステムドループカーブによってバッテリの充放電が制御されるため、結果的に各バッテリの周波数またはＳＯＣレベルが均等に維持される。
【００６１】
この際、一実施例において、システム制御部１１５は予め設定されたデータに基づいてシステムドループカーブを設定する。ここで、予め設定されたデータとは、該当国家または地域で主に使用される系統周波数に基づいて最初のシステムの設計の際に設定されたデータである。
【００６２】
他の実施例においては、システム制御部１１５は現在の系統周波数に基づいてシステムドループカーブを設定する。ここで系統周波数とは、パワープラント３から受信した電気エネルギーの周波数である。系統周波数を基準にシステムドループカーブを設定する場合、全体の電力供給システム１００の安定性を向上させることができる。詳しくは、供給された電気エネルギーとそれを貯蔵するバッテリの周波数が一致するため充放電間の安定性が向上される。
【００６３】
システム制御部１１５は設定されたドループカーブによって充放電が行われる間に各バッテリのＳＯＣレベル情報を獲得する（Ｓ１０３）。詳しくは、システム制御部１１５は電力供給システム１００に含まれた充電制御部１１５を介してバッテリ別ＳＯＣレベル情報を獲得する。ＳＯＣレベル情報は、具体的な実施例においてＨｚ情報に表示される。
【００６４】
一つのドループカーブを介して充放電が制御される場合、複数のバッテリのＳＯＣレベルが均等に管理される。しかし、特定バッテリのＳＯＣレベルと他のバッテリのＳＯＣレベルとの差が最初から大きい場合、予め設定されたデータまたは系統周波数に基づいて設定されたドループカーブを介した効率的な充放電が難しくなる可能性がある。
【００６５】
よって、各バッテリの効率的な充放電のために現在設定されたドループカーブの効率性を判断する必要があり、その判断根拠として、システム制御部１１５は各バッテリの現在のＳＯＣレベル情報を収集する。システム制御部１１５がバッテリのＳＯＣレベル情報を獲得する周期は予め設定された値によって決定される。また、電気エネルギーの使用が多い時期には短く、使用が少ない時期には長く決定されてもよい。また、最も最近のバッテリＳＯＣレベル情報に基づいて決定されてもよい。例えば、最も最近のＳＯＣレベル情報が基準周波数との差が大きい場合、短い時間内に電力供給システムを安定化するために短い周期でＳＯＣレベル情報を獲得する。よって、継続的にドループカーブを変更してバッテリのＳＯＣレベルを速く安定化することができる。
【００６６】
システム制御部１１５は獲得したＳＯＣレベル情報に基づいてシステムドループカーブを動的に変更する（Ｓ１０５）。詳しくは、獲得した各バッテリのＳＯＣレベルが基準レベルと異なる場合、システム制御部１１５はバッテリの充放電が効率的に行われるドループカーブを新たに設定する。
【００６７】
具体的な実施例においては、システム制御部１１５は各バッテリから収集したＳＯＣレベル情報の平均値に基づいて新たなドループカーブを設定する。他の実施例においては、システム制御部１１５は各バッテリから収集したＳＯＣレベル情報のうち基準値と最も大きな差を有するＳＯＣレベルに基づいて新たなドループカーブを設定する。ここで基準値とは、システムの最初の設計の際に一般的なケースでバッテリ充放電効率を極大化し得る値である。また、基準値とは系統周波数に基づいた値である。システム制御部１１５は獲得したＳＯＣレベルに基づいて新たに設定したドループカーブを、各バッテリを制御する充電制御部１１１に伝達してシステムドループカーブを変更する。
【００６８】
図７は、本発明の他の実施例によるバッテリ充放電制御方法を示すフローチャートである。
【００６９】
システム制御部１１５が各バッテリ別ＳＯＣレベル情報を獲得する（Ｓ２０１）。詳しくは、システム制御部１１５が充電制御部１１５を介して各バッテリ別ＳＯＣレベル情報を獲得する。
【００７０】
システム制御部１１５は各バッテリ別に収集したＳＯＣレベル情報に基づいて基準周波数を各充電制御部１１１に伝送する（Ｓ２０３）。詳しくは、システム制御部１１５は各バッテリ別にＳＯＣレベル情報を獲得し、それぞれの互いに異なるＳＯＣレベルで最適化された基準周波数を決定する。そして、システム制御部１１５は、各バッテリを制御する充電制御部１１１に決定された基準周波数を伝送する。基準周波数の決定は図６で既に説明した新たなドループカーブを決定する過程と同じである。
【００７１】
充電制御部１１１は、システム制御部１１５から受信した基準周波数に基づいてドループカーブを生成し、バッテリを制御する（Ｓ２０５）。詳しくは、各バッテリのＳＯＣレベルに基づいた基準周波数を充電制御部１１１が受信し、充電制御部１１１は受信した基準周波数によるドループカーブを生成する。そして、充電制御部１１１は生成したドループカーブに基づいてバッテリの充放電を制御する。
【００７２】
総合的に、図６の実施例によると、システム制御部１１５が演算すべきデータ量は少ないが、ドループカーブを各充電制御部１１１に伝送するため通信に必要なデータ量が増加する。逆に、図７の実施例によると、システム制御部１１５が演算すべきデータ量は増加するが、各充電制御部１１１に基準周波数のみを伝送するため通信に必要なデータ量が減少する。
【００７３】
よって、図６の実施例は、多数のバッテリ及び充電制御部を保有した電力供給システムに有利な実施例である。詳しくは、多数のバッテリを一つのシステムドループカーブのみで制御して制御の効率性を向上することができる。そして、図７の実施例は少数のバッテリ及び充電制御部を保有した電力供給システムに有利な実施例である。詳しくは、各バッテリ別に合わせてドループカーブを生成するため、精巧な充放電制御が可能な利点がある。
【００７４】
前記のように記載された実施例は説明された構成と方法が限定されて適用されるのではなく、実施例は多様な変形が行われるように各実施例の全部または一部が選択的に組み合わせられて構成されてもよい。
【００７５】
また、以上では本発明の好ましい実施例について図示し説明したが、本発明は上述した特定実施例に限定されず、特許請求の範囲で請求する本発明の要旨を逸脱することなく該当発明が属する技術分野における通常の知識を有するものによって多様な変形実施が可能であることはもちろんであり、このような変形実施は本発明の技術的思想や展望から個別に理解されてはならない。
【符号の説明】
【００７６】
１    電力供給システム
２    パワープラント
３    工場
４    家庭
５    他のパワープラントまたは消費者
１００    電力供給システム
１０１    発電装置
１０３    直流／交流コンバータ
１０５    交流フィルタ
１０７    交流／交流コンバータ
１０９    系統
１１１    充電制御部
１１３    バッテリエネルギー貯蔵システム
１１５    システム制御部
１１７    負荷
１１９    第１直流／直流コンバータ
１２１    第２直流／直流コンバータ
２００    小容量電力供給システム
【図１】
0006615602.tif 000002
【図２】
0006615602.tif 000003
【図３】
0006615602.tif 000004
【図４】
0006615602.tif 000005
【図５】
0006615602.tif 000006
【図６】
0006615602.tif 000007
【図７】
0006615602.tif 000008